(57)【要約】【課題】ノイズや通信インフラの変更に起因した誤認識によってセンタ装置との通信接続が失敗する場合に、失敗原因が一時的なノイズ、又は通信インフラによる回線の種別変更かを区別し、いずれの場合でも通信の接続を可能とする端末網制御装置を提供する。【解決手段】端末網制御装置が電話回線のダイヤル種別を自動認識する（Ｓ１４〜Ｓ１６）が、センタ装置からの応答がない（Ｓ１７でＮＯ）場合には、失敗回数を＋１に加算する（Ｓ１９）。失敗回数が規定回数に到達すると（Ｓ２０でＹＥＳ）、ダイヤル種別を自動認識した種別とは別の種別に切り替えてセンタ装置との通信を行う（Ｓ２１）。一時的なノイズによる回線種別の誤認識の場合には、規定回数失敗しなければダイヤルの切替えを行わない。本発明によれば、センタ装置との通信不能の原因（ノイズ又は端末網制御装置の通信インフラ変更）に区別して対応し、センタ装置との接続を図ることができる。【選択図】図３
2010062657.tif 000002
【特許請求の範囲】
【請求項１】
センタ装置と電話回線を介して通信を行い、ダイヤル開始時に前記電話回線のダイヤル種別を自動認識する機能を備え、当該ダイヤル種別の認識結果に対応してプッシュボタン又はダイヤルパルスのいずれかの種別のダイヤル信号を送出する機能を備えた端末網制御装置において、
前記端末網制御装置は、前記ダイヤル種別の自動認識に基づく前記センタ装置との通信を失敗するときの当該失敗回数をカウントする失敗回数カウント手段、カウントされた当該失敗回数が規定回数に到達したことに応じて前回の自動認識した前記ダイヤル種別とは別の種別のダイヤル信号に切り替える指令を前記信号送出機能に出力するダイヤル種別切替指令手段とを備え、
前記ダイヤル種別切替指令手段は、前記失敗回数が前記規定回数に達する毎に前記ダイヤル種別を交互に切り替える指令を出力することを特徴とする端末網制御装置。
【請求項２】
前記失敗回数カウント手段は、前記端末網制御装置が前記センタ装置からのセンタ応答を受信できなかった度毎に、前記失敗回数としてカウントすることを特徴とする請求項１に記載の端末網制御装置。
【請求項３】
前記失敗回数カウント手段は、前記端末網制御装置がダイヤルする前に後方電話機の使用を検知することでダイヤルしなかったとき、前記センタ応答を確認後通信が途中でエラーになったとき、或いは前記端末網制御装置の設定が後方電話機優先であり通信途中に後方電話機の受話器が上げられることで通信が中断したときには、前記失敗回数としてカウントしないことを特徴とする請求項１に記載の端末網制御装置。
【請求項４】
前記ダイヤル種別切替指令手段は、前記失敗回数カウント手段によってカウントされた当該失敗回数が規定回数に到達したことに応じて、前記自動認識機能における前記ダイヤル種別の自動認識を停止させることを特徴とする請求項１〜３のいずれか１項に記載の端末網制御装置。
【請求項５】
前記端末網制御装置は、前記センタ装置から受信した設定電文により、最初のダイヤル方法として、前記電話回線の前記ダイヤル種別を調べてからダイヤルする設定であるか、前記電話回線の前記ダイヤル種別を調べないでダイヤルする設定であるかを記憶するメモリを備えており、前記メモリに記憶された当該設定に従って前記ダイヤル信号を送出することを特徴とする請求項１〜４のいずれか１項に記載の端末網制御装置。
【請求項６】
前記端末網制御装置は、前記センタ装置からの要求電文により、ダイヤル方法として、前記電話回線の前記ダイヤル種別を調べてからダイヤルしている設定か、前記電話回線の前記ダイヤル種別を調べないでダイヤルしている設定かについての情報を前記端末網制御装置が前記センタ装置へ送ることを特徴とする請求項１〜４のいずれか１項に記載の端末網制御装置。
【請求項７】
前記端末網制御装置は、カウント中に前記センタ装置と通信が正常終了したとき、前記センタ装置からのセンタ応答を確認できたとき、前記失敗回数が前記規定回数に到達したとき、あるいは前記センタ装置からの設定電文を受信したときに、前記失敗回数のカウントをクリアすることを特徴とする請求項１〜４のいずれか１項に記載の端末網制御装置。
【発明の詳細な説明】
【技術分野】
【０００１】
本発明は、電話回線を介したセンタ装置からの起動によるデータ伝送、或いは端末網制御装置からの発信によるデータ伝送を行う端末網制御装置に関する。
【背景技術】
【０００２】
端末網制御装置がセンタ装置へ向けてダイヤルする場合としては、メータからの起動による発呼や接点機器のＯＮ／ＯＦＦ状態変化を検知して情報を上げる発呼のような不定期に行われる発呼の場合、或いは端末網制御装置が正常に動作していることや前記メータの状態又は接点機器のＯＮ／ＯＦＦ状態を確認し情報を取得したことをセンタ装置へ定期的に知らせる周期発呼の場合が挙げられる。
【０００３】
端末網制御装置が発呼する場合には、発呼要因が発生すると端末網制御装置がループ（オフフック）しダイヤルをする。端末網制御装置からの呼出信号がセンタ装置に到達し、センタ装置もループ（オフフック）することで、端末網制御装置との間で回線が接続される。回線接続されると、センタ装置は独自のセンタ応答（例えば４秒程度のマーク信号）を端末網制御装置に向けて送出する。端末網制御装置は、当該センタ応答を受信すると、センタ装置との接続を確認できるので、発呼要因の情報を持つ電文をセンタ装置に向かって送信する。
【０００４】
端末網制御装置が行うダイヤル方法の中には、回線の種別を認識してからダイヤルする方法、或いは回線の種別を認識せず端末網制御装置に設定されている回線の種別でダイヤルする方法がある。例えば、回線の種別を認識してからダイヤルする方法として、１桁のプッシュボタン（ＰＢ）信号を送出して回線からのダイヤルトーンの有無を確認し、ダイヤルトーンが無い場合はＰＢ回線、ダイヤルトーンが有る場合はダイヤルパルス（ＤＰ）回線と認識し、続けて認識したダイヤル信号で送出する方法がある。
【０００５】
電話回線と端末装置との間に接続されて、電器、ガス、水道等の使用量を検針するメータを有する端末装置からの発呼要求によって起動されて、電話回線にダイヤリング信号を送出してセンタ装置を呼び出す発呼動作を行う網制御装置であって、電話回線のダイヤリング種別が途中で変更された場合でも、ダイヤリング種別の変更設定処理を自動的に行って、常に正常な端末発呼動作を行うことを可能にする網制御装置が提案されている（特許文献１参照）。この提案では、ダイヤリング信号として、ダイヤル種別であるプッシュボタン信号とダイヤルパルス信号を交互に切り換えて発呼動作を行い、正常に発呼動作が行われたときのダイヤリング情報を記憶し、またこの記憶したダイヤリング信号で発呼動作を連続して所定回数行っても正常に発呼操作ができない場合にはダイヤリング信号を切り換えて発呼動作を行っている。
【特許文献１】特開平０４−１７４４６号公報
【発明の開示】
【発明が解決しようとする課題】
【０００６】
端末網制御装置が電話回線のダイヤル種別を自動認識する機能を備えている場合には、工事者が回線の種別を調査する手間、工事者が回線の種別を端末網制御装置に設定する手間を予め省くことができ、しかも、ダイヤリング種別が途中で変更された場合であっても殆どの場合に対応可能である。しかしながら、このようなダイヤリングで回線種別の自動認識を伴う端末網制御装置にあっては、回線の一時的なノイズによりダイヤルトーン有りと誤認識することや、通信インフラ（通信システム環境）により回線と端末網制御装置の間にＴＡ（ターミナルアダプター）やＶＯＩＰ装置（光回線対応装置）などの付属装置を接続するように変更されたとき、一部の装置でダイヤルトーンを送出しないことに起因して、自動認識結果が正確でなく、誤認識する場合がある。
【０００７】
そこで、回線の種別を認識してからダイヤルをする場合、回線の一時的なノイズに起因してセンタ装置との接続が連続して失敗することは極めて稀であるとの知見に基づいて、そうした接続失敗の状況に基づいて、一時的なノイズによる誤認識と通信インフラの変更に起因した誤認識とに対して区別して対応し、いずれの誤認識の場合でも通信の接続を図る点で解決すべき課題がある。
【０００８】
本発明の目的は、ノイズや通信インフラの変更に起因した誤認識によってセンタ装置との通信接続が失敗する場合には、センタ装置との通信できなかったことが一時的なノイズによるものか、通信インフラによる回線の種別変更かの区別をし、いずれの誤認識の場合でも通信の接続を可能とする端末網制御装置を提供することである。
【０００９】
また、本発明の目的は、一時的なノイズにより回線の種別を誤認識するときには、そうした誤認識に基づいて回線接続を連続失敗しなければダイヤルの切り替えを行わないようにするとともに、端末網制御装置の通信インフラの変更により端末網制御装置の前段に付属装置（光回線対応装置など）が接続されたことの影響からダイヤル種別の自動認識を正確にすることができなくなる場合には、ダイヤルの種別を切り替えてセンタ装置と通信できるようにした端末網制御装置を提供することである。
【課題を解決するための手段】
【００１０】
前記の課題を解決するために、本発明による端末網制御装置では、センタ装置と電話回線を介して通信を行い、ダイヤル開始時に前記電話回線のダイヤル種別を自動認識する機能を備え、当該ダイヤル種別の認識結果に対応してプッシュボタン又はダイヤルパルスのいずれかの種別のダイヤル信号を送出する機能を備えた端末網制御装置であって、前記端末網制御装置は、前記ダイヤル種別の自動認識に基づく前記センタ装置との通信を失敗するときの当該失敗回数をカウントする失敗回数カウント手段、カウントされた当該失敗回数が規定回数に到達したことに応じて前回の自動認識した前記ダイヤル種別とは別の種別のダイヤル信号に切り替える指令を前記信号送出機能に出力するダイヤル種別切替指令手段とを備え、前記ダイヤル種別切替指令手段は、前記失敗回数が前記規定回数に達する毎に前記ダイヤル種別を交互に切り替える指令を出力することを特徴としている。
【００１１】
この端末網制御装置によれば、ダイヤル種別の自動認識に基づいて回線種別を認識するが、センタ装置からの応答がなくセンタ装置との通信を失敗する場合には、失敗回数カウント手段が失敗回数を＋１にカウントアップする。センタ装置との接続が失敗する失敗回数が規定回数に到達すると、ダイヤル種別を切り替えてセンタ装置との通信を行う。一時的なノイズによる回線種別の誤認識の場合には、規定回数未満で接続に成功する可能性が高く、規定回数失敗しなければダイヤルの切替えを行わない。この端末網制御装置によれば、センタ装置との通信不能の原因（ノイズ又は端末網制御装置の通信インフラ変更）に区別してそれぞれ対応し、いずれの場合もセンタ装置との接続を図ることができる。
【００１２】
また、上記の端末網制御装置において、前記失敗回数カウント手段は、前記端末網制御装置が前記センタ装置からのセンタ応答を受信できなかった度毎に、前記失敗回数としてカウントすることができる。端末網制御装置とセンタ装置との間で回線が接続されると、センタ装置は独自のセンタ応答を端末網制御装置に向けて送出するが、端末網制御装置がこのセンタ応答を受信できなかったときには、端末網制御装置はその都度に失敗回数としてカウントする。
【００１３】
また、上記の端末網制御装置において、前記失敗回数カウント手段は、前記端末網制御装置がダイヤルする前に後方電話機の使用を検知することでダイヤルしなかったとき、前記センタ応答を確認後通信が途中でエラーになったとき、或いは前記端末網制御装置の設定が後方電話機優先であり通信途中に後方電話機の受話器が上げられることで通信が中断したときには、前記失敗回数としてカウントしないとすることができる。失敗回数カウント手段は、後方電話機の使用に起因した通信の中断やセンタ応答を確認後に通信が中断するなど、システムとして正常な作動の範囲内で生じた中断については失敗回数としてカウントしないことで、真にカウントをする必要な場合のみ失敗回数としてカウントする。
【００１４】
また、上記の端末網制御装置において、前記ダイヤル種別切替指令手段は、前記失敗回数カウント手段によってカウントされた当該失敗回数が規定回数に到達したことに応じて、前記自動認識機能における前記ダイヤル種別の自動認識を停止させることができる。失敗回数が規定回数に到達したときには、センタ装置との通信の失敗はノイズに起因した一時的なものではなく通信インフラの変更によるものと判断され、ダイヤル種別切替指令手段がダイヤル種別を交互に切り替える指令を出力する。したがって、自動認識機能におけるダイヤル種別の自動認識は不要となるので、ダイヤル種別切替指令手段は当該自動認識を停止する指令を出力する。なお、自動認識停止後に行うセンタ装置との通信の失敗回数が規定回数に到達したときには、再度、自動認識機能に戻って回線種別を認識しセンタ装置との通信を試みる。
【００１５】
また、上記の端末網制御装置は、前記センタ装置から受信した設定電文により、最初のダイヤル方法として、前記電話回線の前記ダイヤル種別を調べてからダイヤルする設定であるか、前記電話回線の前記ダイヤル種別を調べないでダイヤルする設定であるかを記憶するメモリを備えており、前記メモリに記憶された当該設定に従って前記ダイヤル信号を送出することができる。
【００１６】
また、上記の端末網制御装置は、前記センタ装置からの要求電文により、ダイヤル方法として、前記電話回線の前記ダイヤル種別を調べてからダイヤルしている設定か、前記電話回線の前記ダイヤル種別を調べないでダイヤルしている設定かについての情報を前記端末網制御装置が前記センタ装置へ送ることができる。
【００１７】
また、上記の端末網制御装置は、カウント中に前記センタ装置と通信が正常終了したとき、前記センタ装置からのセンタ応答を確認できたとき、前記失敗回数が前記規定回数に到達したとき、あるいは前記センタ装置からの設定電文を受信したときに、前記失敗回数のカウントをクリアすることができる。
【発明の効果】
【００１８】
上記の端末網制御装置によれば、端末網制御装置の通信インフラの移行により端末網制御装置の前段に付属装置（光回線対応装置など）が接続され、端末網制御装置は付属装置の影響からダイヤル種別の自動認識が正確にできなくなっても、接続失敗回数が規定回数に到達することでダイヤル種別を切り替えることにより、センタ装置との通信を行うことができる。また、回線のダイヤル種別を認識してからダイヤルしている場合、回線の一時的なノイズにより回線の種別を誤認識しても、そうした誤認識の下で、回線接続を規定回数失敗しなければダイヤルの切り替えを行わない。したがって、センタ装置との通信できなかったことが一時的なノイズによるものか、通信インフラによる回線の種別変更かを区別して対応し、センタ装置との接続を図ることができる。
【発明を実施するための最良の形態】
【００１９】
以下、図面を参照して、この発明による端末網制御装置の実施形態について説明する。図１は、発明による端末網制御装置が用いられる通信システムの構成を示すブロック図である。
【００２０】
図１は通信システムの構成を示すブロック図であって、１１はセンタ装置、１２はセンタ側交換局、１３は電話回線、１４は端末側交換局、１５はノーリンギングトランク、１６は端末網制御装置、１７はメータ、１８は接点機器、１９は電話機であり、通信システムはこれらの機器によって構成されている。このように構成される通信システムにおいて、メータ１７で計測された水道、電気、ガス等の使用量データや接点機器１８におけるＯＮ／ＯＦＦ状態についての接点機器情報をセンタ装置１１で収集するには、まずセンタ装置１１から電話回線１３を通じて、センタ側交換局１２、端末側交換局１４及びノーリンギングトランク１５を介して端末網制御装置１６にノーリンギング着信し、端末網制御装置１６から更にメータ１７や接点機器１８を呼び出す。電話回線１３が接続されると、センタ装置１１とメータ１７や接点機器１８との間でデータ通信を行い、メータ１７で計測した使用量データや接点機器１８の接点機器情報が逆の経路を介してセンタ装置１１に伝送・収集される。端末網制御装置１６とメータ１７や接点機器１８との間では、無線親機及び無線子機（図示せず）を介して呼出やデータ通信が行われる。
【００２１】
センタ装置１１からノーリンギング通信をするためノーリンギングトランク１５の電話番号をダイヤル後、続けて端末網制御装置１６が接続されている電話番号をダイヤルすることにより、端末網制御装置１６には緩やかな極性反転がくる。極性反転の後には、センタ装置１１からＮＲＳ信号が送信されてきて、ＮＲＳ信号を受信した端末網制御装置１６はセンタ装置１１へ応答のＰＢ信号「＃」を送出する。その後、端末網制御装置１６は、センタ装置１１からのデータ送信の受信待ちとなり、通信が開始される。
【００２２】
端末発信については、発呼要因があると、端末網制御装置１６からダイヤルが行われ、センタ装置１１と接続されると、センタ装置１１からセンタ応答としての独自の応答信号が送出される。センタ装置１１からの当該応答信号を受信すると、端末網制御装置１６は発呼要因電文をセンタ装置１１へ送信する。最後は、センタ装置１１から通信終了電文が送信されてきて、その応答電文を返信して終了となる。
【００２３】
この通信システムのほかに、ＩＳＤＮ回線契約の場合には、ＩＳＤＮ回線用の装置として、ＤＳＵ装置、ＴＡ装置などを介してＩＳＤＮ回線が端末網制御装置１６に接続される。ＡＤＳＬ契約のときは、ＡＤＳＬ用の装置、スプリッター（パソコンと電話機を分離するためのもの）などを介してＡＤＳＬ回線が端末網制御装置１６に接続される。或いは、光回線契約の場合には、光回線用の装置（ＶＯＩＰ装置）を介して光回線が端末網制御装置１６に接続される。
【００２４】
図２は、図１の通信システムにおける端末網制御装置１６の詳細構成を示すブロック図である。図２に示す端末網制御装置１６において、２０は回線制御部、２１はマイクロコンピュータ、２２はメモリ、２３は電話機１９の受話器が上げられたかどうか検知するためのオフフック検知部、２４は電源部、２５はメータＩ／Ｆ部にて構成されている。メータＩ／Ｆ部２５には、メータ１７や接点機器１８が接続される。
【００２５】
図３は、本発明による端末網制御装置の動作フローチャートである。端末網制御装置において、ある発呼要因が発生する（ステップ１１、「Ｓ１１」と略す。以下同じ）と、センタ装置と通信するためのダイヤルをする前に、後方電話機が使用されていないかどうかを確認する（Ｓ１２）。後方電話機が使用されていれば、リトライがセットされ、ダイヤルせずに、ある時間（例えば６分後）経過してから再ダイヤル処理をする（Ｓ１３）。後方電話機が使用されていない場合、電話回線のダイヤル種別を調べる（Ｓ１４）。例として１桁のプッシュボタン（ＰＢ）信号を送出し、電話回線からのダイヤルトーンの有無を確認する。ダイヤルトーンが無い場合はＰＢ回線、ダイヤルトーンが有る場合はダイヤルパルス（ＤＰ）回線と認識する。Ｓ１４は、端末網制御装置において、ダイヤル開始時に電話回線のダイヤル種別を自動認識する機能に相当する。
【００２６】
Ｓ１４において、ＰＢ回線と判定した場合はプッシュボタン（ＰＢ）信号を送出する（Ｓ１５）し、ＤＰ回線と認識した場合はダイヤルパルス（ＤＰ）信号を送出する（Ｓ１６）。Ｓ１５及びＳ１６は、端末網制御装置において、ダイヤル種別の認識結果に対応してプッシュボタン又はダイヤルパルスのいずれかの種別のダイヤル信号を送出する機能に相当する。いずれの回線であっても、端末網制御装置は、ダイヤル終了後、センタ装置からの独自の応答信号待ちとなる（Ｓ１７）。
【００２７】
Ｓ１７において応答信号を受信できれば、センタ装置へ発呼電文を送信する（Ｓ１８）。Ｓ１７においてセンタ応答としての独自の応答信号を受信できなかったときには、ダイヤル種別の自動認識に基づいてのセンタ装置との通信を失敗した失敗回数として、１回を加算してカウントする（Ｓ１９）。ただし、端末網制御装置がダイヤルする前に後方電話機の使用を検知することでダイヤルしなかった（Ｓ１２でＹＥＳとして示すケース）とき、センタ応答を確認後通信が途中でエラーになったとき、或いは端末網制御装置の設定が後方電話機優先であり通信途中に後方電話機の受話器が上げられることで通信が中断したときには、本通信システムにおける正常な範囲での中断であるので失敗回数としてカウントされない。
【００２８】
上記の失敗回数が規定回数に到達しているかどうかを判定し（Ｓ２０）、失敗回数が規定回数に到達した場合には、電話回線のダイヤル種別を調べ、次からは前回の自動認識した種別とは異なるダイヤル種別に切り替えて、切り替えられたダイヤル種別でダイヤルする（Ｓ２１）。Ｓ２０において失敗回数が規定回数に到達していないと判定された場合、及びＳ２１においてダイヤル種別を変更した場合のいずれでも、ある時間（例えば３分後）経過してから再ダイヤルするように設定してスタンバイ状態になる（Ｓ２２）。
【００２９】
図４は、ダイヤルの種別を切り替えるための規定回数を４回としたときの、ダイヤルが切り替わるシーケンス図である。端末網制御装置から端末側交換局へのダイヤルが４回目までは電話回線はＤＰ回線と判定され、ダイヤルパルス（ＤＰ）信号を送出するが、規定回数である４回の応答信号を受信できない場合には、ダイヤル５回目からは異なるダイヤル種別（ＰＢ回線）でダイヤルする。即ち、失敗回数が規定回数に到達すると、自動認識機能におけるダイヤル種別の自動認識は停止され、ダイヤル種別の判定を行うことなくダイヤル種別を切り替えて、ＰＢ回線でダイヤルが発信される。ダイヤル種別の判定をせずにＰＢ回線でのダイヤルが４回（ＤＰ回線の場合からカウントして都合８回目）まで繰り返されても、応答信号を受信できない場合には、自動認識機能を使用して電話回線のダイヤル種別を判定した上でのダイヤル動作に戻る。したがって、ダイヤル９回目以降は、ＤＰ回線と判定され、ダイヤルパルス（ＤＰ）回線で信号が送出される。
【００３０】
図５は、通信インフラによる回線種別が途中変更され、端末網制御装置が回線の種別を正常に認識できないときに、ダイヤルが切り替わるシーケンス図である。端末側交換局へのダイヤル１回目ではダイヤル種別の自動認識によってＤＰ回線と判定され、ダイヤルパルス（ＤＰ）回線で信号が送出されて、応答信号を受信する。その後、通信インフラとして、電話回線がＡＤＳＬ回線に変更されるとする。この場合、ＡＤＳＬ用装置がダイヤルトーンを出さず、ＡＤＳＬ用装置にはＤＰでダイヤルが必要であるとする。ＡＤＳＬに回線変更後、端末網制御装置から端末側交換局へのダイヤル１回目では、ダイヤルトーンが出ないのでＰＢ回線と判定され、ＰＢ回線でダイヤルされるが、応答信号を受信できない。こうしたＰＢ回線であるとの判定とそれに対する受信せずの応答とが４回繰り返され、ダイヤル４回目の後、異なる種別のダイヤルに変更される。即ち、ダイヤル５回目以降ではダイヤル種別の自動認識は停止されて回線種別の判定は行われず、ダイヤル種別が切り替えられてＤＰ回線でダイヤルが行われる。その結果、ノイズによる誤認識がなければ応答信号を受信できることになるので、その後のダイヤルは、判定なし・ＤＰ回線でのダイヤルに設定される。
【００３１】
図６は、図２に示す端末網制御装置の一実施例を更に詳細に示すブロック図である。マイクロコンピュータ２１には、電話回線のダイヤル種別の自動認識機能３０と、いずれかの種別のダイヤル信号を送出するダイヤル信号送出機能３１とを備えている。マイクロコンピュータ２１は、更に、失敗回数をカウントする場合としない場合とを監視・判定する通信状態判定手段３２と、通信状態判定手段３２が判定した通信状態に基づいて、センタ装置との通信を失敗するときの当該失敗回数を（カウントすべきでない特別な場合を除いて）カウントする失敗回数カウント手段３３と、カウントされた失敗回数が規定回数に到達したことに応じて前回の自動認識したダイヤル種別とは別の種別のダイヤル信号に切り替える指令をダイヤル信号送出機能３１に出力するダイヤル種別切替指令手段３４とを備えている。失敗回数カウント手段３３は、端末網制御装置がセンタ装置からのセンタ応答を受信できなかった度毎に失敗回数として＋１だけカウントアップする。また、ダイヤル種別切替指令手段３４は、失敗回数が規定回数に達する毎にダイヤル種別を交互に切り替える切替え指令と同時に、自動認識機能３０に自動認識を停止させる指令を出力する。
【００３２】
端末網制御装置のマイクロコンピュータ２１のメモリ２２には、センタ装置から受信した設定電文により、最初のダイヤル方法として、電話回線のダイヤル種別を調べてからダイヤルする設定であるか、電話回線のダイヤル種別を調べないでダイヤルする設定であるかを記憶することができる。この場合、端末網制御装置は、メモリ２２に記憶された当該設定に従って、ダイヤル信号を送出する。また、端末網制御装置は、センタ装置からの要求電文により、ダイヤル方法として、電話回線のダイヤル種別を調べてからダイヤルしている設定か、電話回線のダイヤル種別を調べないでダイヤルしている設定かについての情報をセンタ装置へ送ることができるが、この際、メモリ２２内に記憶されている設定を当該情報としてセンタ装置へ送ることができる。
【００３３】
更に、端末網制御装置は、失敗回数カウント手段３３におけるカウント値をクリアする失敗回数カウントクリア手段３５を備えている。失敗回数カウントクリア手段３５は、カウント中にセンタ装置と通信が正常終了したとき、センタ装置からのセンタ応答を確認できたとき、失敗回数が規定回数に到達したとき、あるいはセンタ装置からの設定電文を受信したときには、センタ装置との通信が接続確認できた場合、或いは失敗回数が規定回数に到達して元の状態に戻るべき場合であるので、失敗回数のカウントをクリアする。
【図面の簡単な説明】
【００３４】
【図１】本発明による端末網制御装置が適用される通信システムの一例を示す構成図。
【図２】本発明による端末網制御装置の一実施例を示すブロック図。
【図３】本発明の端末網制御装置の動作フローチャート。
【図４】本発明の端末網制御装置がダイヤルを切り替えるシーケンス図。
【図５】回線の種別変更されたとき、端末網制御装置がダイヤルを切り替えるシーケンス図。
【図６】本発明による端末網制御装置の一実施例の詳細を示すブロック図。
【符号の説明】
【００３５】
１１  センタ装置                      １２  センタ側交換局
１３  電話回線                        １４  端末側交換局
１５  ノーリンギングトランク          １６  端末網制御装置
１７  メータ                          １８  接点機器
１９  電話機                          ２０  回線制御部
２１  マイクロコンピュータ            ２２  メモリ
２３  オフフック検知部                ２４  電源部
２５  メータＩ／Ｆ部
３０  自動認識機能                    ３１  ダイヤル信号送出機能
３２  通信状態判定手段                ３３  失敗回数カウント手段
３４  ダイヤル種別切替指令手段        ３５  失敗回数カウントクリア手段
【図１】
2010062657.tif 000003
【図２】
2010062657.tif 000004
【図３】
2010062657.tif 000005
【図４】
2010062657.tif 000006
【図５】
2010062657.tif 000007
【図６】
2010062657.tif 000008